(57)【要約】【課題】ドラム本来の打感を損なうことなく音量を低減することのできるドラム及びミュート部材を提供する。【解決手段】筒状の胴部と、胴部の一方の開口に取り付けられるヘッドと、ミュート部材とによりドラムを構成する。ミュート部材は、胴部の一方の開口の開口先端部とヘッドとの間に設けられて、ヘッドに生じる振動を減衰させる。【選択図】図１
2015045818.tif 000002
【特許請求の範囲】
【請求項１】
筒状の胴部と、
前記胴部の一方の開口に取り付けられる振動膜と、
前記一方の開口の開口先端部と前記振動膜との間に設けられて、前記振動膜に生じる振動を減衰させるミュート部材と
を備えるドラム。
【請求項２】
前記ミュート部材は、前記開口先端部の周方向において厚さが異なるように形成される
請求項１に記載のドラム。
【請求項３】
前記ミュート部材は、
前記開口先端部と接触する接触部位よりも前記胴部の外面側の部位が前記接触部位よりも薄くなるように形成される
請求項１または２に記載のドラム。
【請求項４】
前記ミュート部材は、前記開口先端部の周方向における一部に設けられる
請求項１から３のいずれか一項に記載のドラム。
【請求項５】
胴部の一方の開口における開口先端部と振動膜との間に設けられて、前記振動膜に生じる振動を減衰させる
ドラム用ミュート部材。
【発明の詳細な説明】
【技術分野】
【０００１】
本発明は、ドラム及びドラム用ミュート部材に関する。
【背景技術】
【０００２】
演奏の行われる室内が比較的狭いような状況では、ドラムの音を小さくしたいという要望がある。そこで、ドラムヘッドの打面の裏側に振動吸収材を貼設することにより、ドラムの音を小さくするようにした構成が知られている（例えば、特許文献１参照）。
【先行技術文献】
【特許文献】
【０００３】
【特許文献１】登録実用新案第３００４７６８号公報
【発明の概要】
【発明が解決しようとする課題】
【０００４】
しかし、特許文献１のドラムヘッドは、振動吸収材によってバターヘッドの裏面側から振動を積極的に抑制することによって消音する構成であるために、打撃時のバターヘッドの反発性が失われることなどによって、本来のドラムのような打感が得られない。この場合、演奏者は打感に違和感を覚えることになり、演奏もしづらい。
【０００５】
本発明は、このような事情に鑑みてなされたもので、ドラム本来の打感を損なうことなく音量を低減することのできるドラム及びドラム用ミュート部材を提供することを目的とする。
【課題を解決するための手段】
【０００６】
上述した課題を解決するために、本発明の一態様としてのドラムは、筒状の胴部と、前記胴部の軸線方向における一方の開口に取り付けられる振動膜と、前記一方の開口の開口先端部と前記振動膜との間に設けられて、前記振動膜に生じる振動を減衰させるミュート部材とを備える。
本発明の一態様としてのドラムによれば、振動膜に生じる振動がミュート部材によって減衰されることで、振動膜の振動により発生する音を低減させることが可能になる。
【０００７】
また、本発明の一態様としてのドラムにおいて、前記ミュート部材は、前記開口先端部の周方向において厚さが異なるように形成されてもよい。
これにより、胴部に振動膜が取り付けられた状態においてミュート部材が振動膜に押し当てられる強さを開口先端部の周方向において調整することができる。
【０００８】
また、本発明の一態様としてのドラムにおいて、前記ミュート部材は、前記開口先端部と接触する接触部位よりも前記胴部の外面側の部位が前記接触部位よりも薄くなるように形成されてもよい。
これにより、ミュート部材の開口先端部より外側の部位が、振動膜の裏面と胴部の外壁との間に強く挟み込まれることを防ぐことができる。
【０００９】
また、前記ミュート部材は、前記開口先端部の周方向における一部に設けられてもよい。
これにより、振動膜の振動に応じて発生する音の低減量を調節することが可能になる。
【００１０】
また、本発明の一態様としてのミュート部材は、胴部の一方の開口における開口先端部と振動膜との間に設けられて、前記振動膜に生じる振動を減衰させる。
本発明の一態様としてのミュート部材によれば、振動膜に生じる振動を減衰させることにより、振動膜の振動により発生する音を低減させることが可能になる。
【発明の効果】
【００１１】
以上説明したように、本発明によれば、ドラム本来の打感を損なうことなく音量を低減することのできるドラム及びドラム用ミュート部材を提供することが可能になる。
【図面の簡単な説明】
【００１２】
【図１】第１実施形態に係るドラムの上面図、側面図である。
【図２】第１実施形態に係るドラムにおけるシェルの上側の開口先端部の近傍を拡大して示す側面図である。
【図３】一般的なドラムに関してヘッドの打撃に応じて音が発生する原理について説明するための図である。
【図４】一般的なドラムに関してヘッドの打撃に応じて音が発生する原理について説明するための図である。
【図５】本実施形態のドラムの音量がミュート部材によって低減する原理について説明するための図である。
【図６】ミュート部材が設けられたドラムとミュート部材が設けられないドラムとについてのアタック部の音圧の測定結果を比較して示す図である。
【図７】ミュート部材が設けられたドラムとミュート部材が設けられないドラムとについてのサスティン部の音圧の測定結果を比較して示す図である。
【図８】ミュート部材が設けられたドラムとミュート部材が設けられないドラムとの周波数特性を比較して示す図である。
【図９】第２実施形態に係るドラムの上面図、側面図である。
【図１０】第３実施形態に係るドラムにおけるシェルの上側の開口先端部の近傍を側面方向からみて拡大して示す断面図である。
【図１１】第４実施形態に係るドラムの上面図である。
【図１２】第５実施形態に係るドラムの側面図である。
【図１３】第６実施形態に係るドラムの側面図である。
【図１４】第６実施形態に係るドラムにおけるシェルの下側の開口先端部の近傍を側面方向からみて拡大して示す断面図である。
【図１５】第７実施形態に係るドラムの側面図、底面図である。
【図１６】第７実施形態に係るドラムにおけるシェルの下側の開口先端部の近傍を側面方向からみて拡大して示す断面図である。
【図１７】第８実施形態に係るドラムにおけるシェルの上側の開口先端部の近傍を側面方向からみて拡大して示す断面図である。
【図１８】第８実施形態に係るドラムの変形例におけるシェルの上側の開口先端部の近傍を側面方向からみて拡大して示す断面図である。
【図１９】第９実施形態に係るヘッドの外周端部の近傍を側面方向からみて拡大して示す断面図である。
【発明を実施するための形態】
【００１３】
＜第１実施形態＞
以下、本発明の実施形態に係るドラムについて図面を参照して説明する。
図１及び図２を参照して、第１実施形態に係るドラム１０の構造例について説明する。図１（ａ）は、ドラム１０の上面図であり、図１（ｂ）はドラム１０を断面により示す側面図である。図２は、ドラム１０における打面の外周端部近傍を拡大し断面により示す側面図である。
【００１４】
図１、図２に示すドラム１０は、胴部を構成する筒状のシェル２１と、シェル２１の上部の開口に取り付けられる円形の振動膜（以下、ヘッドとも呼ぶ）３１と、ミュート部材４０とを備える。ヘッド３１は、打面として使用される表側のヘッドである。
【００１５】
シェル２１は、木材あるいは金属などで構成されており、振動が発生したときにシェル２１内部の空気を効率良く下方（シェル２１の軸線方向においてヘッド３１が設けられる一方の開口側から他方の開口側に向かう方向）に伝えたり、振動を内部で反響させたりする機能を備えている。
ヘッド３１は、ＰＥＴ（ポリエチレンテレフタレート）などのフィルムからなる円形のヘッド部３１ａと、金属製のリングからなるフレッシュフープ３１ｂとで構成されている。
ヘッド部３１ａには、シェル２１の軸線方向における上部開口（一方の開口：ヘッド３１を取り付ける側の開口）の直径よりも少し大きい直径が設定されている。また、ヘッド部３１ａは、外周縁部がフレッシュフープ３１ｂに連結されることにより円形に保持され、ラグ２２と上部張設部２３とによってシェル２１の上部開口に張り付けられて打面を構成する。
なお、フレッシュフープ３１ｂの内径は、シェル２１の外径よりも僅かに大きく設定されており、フレッシュフープ３１ｂの内部側にシェル２１の上部を入れたときに、ヘッド部３１ａの外周側部分はシェル２１の開口縁部に押し付けられる。
【００１６】
ラグ２２は、上下方向の長さがシェル２１の上下方向の長さの１／２程度の縦長の部材で構成されており、シェル２１の外周面において、シェル２１の上下方向（シェル２１の軸線方向）におけるほぼ中央の位置に固定されている。ラグ２２は、シェル２１の周方向に一定間隔を保って複数個設けられている。そして、それぞれのラグ２２の内部には、上面から下部側に向かってねじ穴が形成されている。
【００１７】
上部張設部２３は、フープ２３ａと、チューニングボルト２３ｂとで構成されている。フープ２３ａは、上部よりも下部の方の直径が長くなった段違いのリング状に形成されており、下部側部分はフレッシュフープ３１ｂの外周面と上面とを覆うことのできる大きさに形成され、上部の内径はフレッシュフープ３１ｂの内径と略同じに設定されている。
また、フープ２３ａの大径になった下部の外周部には、ボルト挿通穴を備えた係合突起２３ｃが、ラグ２２の数と同じ数だけ周方向に一定間隔を保って形成されている。
チューニングボルト２３ｂは、係合突起２３ｃのボルト挿通穴に挿通できるとともに、ラグ２２のねじ穴に螺合できるねじ部と、直径が係合突起２３ｃのボルト挿通穴の直径よりも長くなっていることで係合突起２３ｃのボルト挿通穴を挿通できない頭部とからなっており、ラグ２２の数と同じ数だけ備わっている。
【００１８】
上記の構成により、ヘッド３１は以下のようにシェル２１に固定される。つまり、シェル２１の上部にヘッド３１を組み付けて、係合突起２３ｃとラグ２２とをそれぞれ対向させた状態で、フレッシュフープ３１ｂの上方にフープ２３ａを載せる。この状態において、各チューニングボルト２３ｂのねじ部を、順次、係合突起２３ｃのボルト挿通穴に通してラグ２２のねじ穴に螺合させる。これにより、ヘッド３１がシェル２１に対して固定される。
上記のようにヘッド３１をシェル２１に対して固定する際、チューニングボルト２３ｂの締め具合を変更することにより、ヘッド３１のテンションを調節できる。この場合、フープ２３ａの上部は、ヘッド３１のヘッド部３１ａよりも上方に突出している。フープ２３ａの上部は、リムショットと呼ばれる奏法を行うにあたり、スティックのショルダー部によって叩かれる場所としても利用される。
【００１９】
ここで、上記のようにヘッド３１がシェル２１に固定されることによってはヘッド部３１ａが打面として構成される。このとき、打面における外周端部３１ｃは、図２に示すように、シェル２１の上側の開口縁部の先端（開口先端部）２１ａとミュート部材４０を挟んで対向する位置になる。
外周端部３１ｃは、ミュート部材４０を備えない通常のドラムであれば、ヘッド３１がシェル２１の上部開口に対して取り付けられた状態において、シェル２１の開口先端部２１ａに押し付けられた状態で接触する部位である。
【００２０】
ミュート部材４０は、図１、図２の各図に示すように、シェル２１の上部開口の円周全体にわたって、開口先端部２１ａの部分を覆うように設けられる。つまり、ミュート部材４０は、ヘッド３１がシェル２１に取り付けられた状態において、開口先端部２１ａとヘッド３１との間に設けられる。これにより、ヘッド３１の外周端部３１ｃと、シェル２１の開口先端部２１ａとは互いに接触することなく、ミュート部材４０を介して対向するように位置する。
【００２１】
ミュート部材４０は、ヘッド３１に生じる振動を減衰させる。より具体的には、ヘッド３１の打点から径方向の外側に伝搬し開口先端部２１ａに対応する位置（外周端部３１ｃ）にて反射する振動を減衰させる。このように振動を減衰させるための機能を有するために、ミュート部材４０は、下記の材質条件１、２の少なくともいずれか一方を満たす材質により形成される。
材質条件１：シェル２１の材質よりも貯蔵弾性率が小さいこと
材質条件２：シェル２１の材質よりも損失弾性率が大きいこと
上記の材質条件を満たすミュート部材４０の材料としては、ウレタンフォームなどを挙げることができる。
【００２２】
上記のように構成される本実施形態のドラム１０は、演奏に際してヘッド３１が打撃されたり、周囲の音に共振したりすることにより生じるヘッド３１の振動に応じて発生する音量を低減する効果が得られる。以下、図３から図５を参照して、本実施形態のドラム１０の音量が低減する原理について説明する。
【００２３】
まず、図３及び図４を参照して、一般的なドラムに関してヘッドの打撃に応じて音が発生する原理について説明する。
打面であるヘッド部３１ａがスティックｓｔｋにより打撃されると、図３（ａ）に示すように、ヘッド部３１ａには、スティックｓｔｋとヘッド部３１ａとが接触している位置（打点）から径方向の外側に向かって放射状に伝搬する曲げ波（進行波）の波動（振動）が発生する。発生した進行波は、図３（ｂ）、図４（ａ）に示すように、外周端部３１ｃに対して伝搬していく。
【００２４】
ここで、一般のドラムは、ミュート部材４０が設けられていないことから、ヘッド３１側の外周端部３１ｃと、シェル２１の開口先端部２１ａとは互いに接触した状態にある。このため、外周端部３１ｃに到達した進行波は、図３（ｃ）、図３（ｄ）、図４（ｂ）に示すように、外周端部３１ｃを固定端として反射し、打点に向かう曲げ波（反射波）となって伝搬していく。
【００２５】
そして、打点にまで到達した反射波は、スティックｓｔｋとヘッド部３１ａとが接触している打点にて再び反射し、進行波として径方向の外側に向かって放射状に伝搬する。このような現象が、ヘッド部３１ａにスティックｓｔｋが接触している間は繰り返される。
このように発生する進行波と反射波は、スティックｓｔｋによってヘッド部３１ａが打撃された直後において音圧として放射される。このように、ヘッドが打撃されることによってドラムから音が発生する。
【００２６】
次に、図５を参照して、本実施形態のドラム１０の音量がミュート部材４０によって低減する原理について説明する。
打面であるヘッド部３１ａがスティックｓｔｋにより打撃されるのに応じてヘッド部３１ａに発生した進行波は、図５（ａ）に示すように、或る大きさの振幅を有して、ヘッド部３１ａにおける打点から径方向の外側に伝搬していき、外周端部３１ｃにまで到達する。
本実施形態の場合、外周端部３１ｃにはミュート部材４０が押し当てられるように接している。このために、外周端部３１ｃに到達した進行波の多くがミュート部材４０によってシェル２１に伝達される、あるいは、損失によって熱エネルギーに変換され、反射波の振幅は、一般のドラムの場合よりも減衰する。
これにより、打面であるヘッド部３１ａが打撃された直後の期間に生じる音圧が抑制され、ドラム１０の音量が低減される。また、ヘッド部３１ａの打撃直後の期間に生じる音圧が抑制されるため、特にヘッド部３１ａをスティックｓｔｋで打撃したときのアタック音の成分を有効に低減できる。
【００２７】
また、本実施形態においては、ドラム１０の音量を低減するにあたり、ヘッド３１において開口先端部２１ａの位置に対応する外周端部３１ｃという部位に限定してミュート部材４０を接触させている。つまり、本実施形態のミュート部材４０は、ヘッド部３１ａに対して面同士を接触させるというものではない。これにより、本実施形態のドラム１０は、打感を損なうことなく音量が低減されるために、演奏性が阻害されることがない。また、例えばヘッド部３１ａとしての面の裏側に対して振動吸収剤を貼り付けるような構成では、音色も本来のドラムとは大きく異なってしまうが、本実施形態の構成であれば、ドラム本来の音色も良好に維持できる。
【００２８】
図６は、ミュート部材４０が設けられたドラム１０とミュート部材４０が設けられないドラムとについてのアタック部（スティックによる打撃時から５０ｍｓ〜１００ｍｓ程度が経過するまでの時間）の音圧の測定結果を比較して示している。同図において、縦軸は音圧を示し、横軸は時間を示す。
同図から分かるように、ミュート部材４０が設けられたドラム１０（実線）のほうが、ミュート部材４０が設けられないドラム（破線）よりも音圧が低い。つまり、ミュート部材４０が設けられた本実施形態のドラム１０のほうが、ヘッド部３１ａが打撃された直後の音量が低減している。
【００２９】
また、図７は、ミュート部材４０が設けられたドラム１０とミュート部材４０が設けられないドラムとについてのサスティン部（アタック部以降から音が聞こえなくなるまでの時間）の音圧の測定結果を比較して示している。同図において、縦軸は音圧を示し、横軸は時間を示す。
同図から分かるように、サスティン部についても、ミュート部材４０が設けられたドラム１０（実線）のほうが、ミュート部材４０が設けられないドラム（破線）よりも音圧が低い。
このように、ミュート部材４０が設けられた本実施形態のドラム１０は、アタック部とサスティン部のいずれについても音量が低減されている。
【００３０】
また、図８は、ミュート部材４０が設けられたドラム１０とミュート部材４０が設けられないドラムとの周波数特性を比較して示している。
同図に示されるように、ミュート部材４０が設けられたドラム１０の電圧レベル（相対音圧レベル）は、ミュート部材４０が設けられないドラムよりも低い傾向にある。
これら図６、図７、図８の測定結果によっても示されているように、ミュート部材４０が設けられたドラム１０は、ミュート部材４０が設けられないドラムと比較して顕著な音量低減効果が得られている。
【００３１】
＜第２実施形態＞
続いて、第２実施形態について説明する。図９は第２実施形態のドラム１０Ａの構造例を示す上面図である。なお、同図において図１と同一部分には同一符号を付して説明を省略する。
第２実施形態のドラム１０Ａにおいては、ミュート部材４０Ａについて、開口先端部２１ａの周方向において厚さが異なるように形成される。
【００３２】
具体例として、図９のミュート部材４０Ａは、開口先端部２１ａの周方向において区間ｉ１よりも区間ｉ２のほうが厚くなるように形成されている。
区間ｉ１は、ヘッド３１をシェル２１に固定するためにチューニングボルト２３ｂによる締め付けが行われる部位である。
つまり、区間ｉ１においては、シェル２１にヘッド３１を固定するために、チューニングボルト２３ｂの締め付けによってフレッシュフープ３１ｂがシェル２１の下方向に強く押し下げられる。これに対して、区間ｉ２は、区間ｉ１に比べてチューニングボルト２３ｂの締め付けによる力が働きにくい部位である。
そこで、ミュート部材４０Ａにおける区間ｉ２の部分を厚くすることによって、ミュート部材４０Ａが外周端部３１ｃと開口先端部２１ａとにより押しつけられる力を、周方向の全体において均一にすることができる。
【００３３】
なお、ミュート部材４０Ａの厚さを開口先端部２１ａの周方向において異ならせる態様としては、図９により説明した例に限定されない。例えば、周方向において区間を任意に設定し、その区間ごとにランダムに厚さを異ならせるようにしてもよい。
【００３４】
＜第３実施形態＞
図１０は、第３実施形態のドラム１０Ｂにおける外周端部３１ｃの周辺部位を側面側からみて拡大して示す断面図である。なお、第３実施形態のドラム１０Ｂの全体構造は、図１と同様でよい。
【００３５】
第３実施形態のドラム１０Ｂにおいて、ミュート部材４０Ｂは、開口先端部２１ａと接触する接触部位よりもシェル２１の外面側の部位が上記の接触部位よりも薄くなるように形成される。
同図のミュート部材４０Ｂにおいて、開口先端部２１ａと接触する接触部位よりもシェル２１の外面側の部位は、外縁部４１である。つまり、外縁部４１は、ミュート部材４０Ｂにおいて開口先端部２１ａと接触する接触部位と、シェル２１の外面側において開口先端部２１ａと接触しない部位との境界を矢印Ｂで示すと、矢印Ｂが示す位置よりもシェル２１の外面側となる部位である。
【００３６】
ミュート部材４０Ｂにおいて開口先端部２１ａよりシェル２１の外面側の部位である外縁部４１に厚さがある場合、ヘッド３１をシェル２１に固定した際に、ヘッド３１の外周端部３１ｃよりも外側のヘッド部分３１ｄの裏面とシェル２１の外壁との間で外縁部４１が強く挟み込まれ、結果的に、外縁部４１がヘッド部分３１ｄの裏面とシェル２１の外壁の間で楔として機能するような状態となる。これにより、ヘッド３１をシェル２１から取り外そうとした際に、ヘッド３１が容易に外れなくなる場合がある。
そこで、外縁部４１を薄くすることで、連結部分３１ｄが裏側から押し当てられる力が弱まるために、ヘッド３１の取り外しが容易に行えるようになる。
【００３７】
＜第４実施形態＞
続いて、第４の実施形態について説明する。図１１は、第４実施形態のドラム１０Ｃの構造例を示す上面図である。なお、第４実施形態のドラム１０Ｃの全体構造は、図１と同様でよい。
同図に示すように、第４実施形態におけるミュート部材４０Ｃは、開口先端部２１ａの周方向（同図において破線の矢印Ａで示す方向）における全体に設けられるのではなく、開口先端部２１ａの周方向における一部に設けられる。
【００３８】
具体例として、同図においては、開口先端部２１ａの周方向において、所定の長さに形成された複数のミュート部材４０Ｃが、一定間隔ごとに設けられた態様が示されている。
このようにミュート部材４０Ｃが開口先端部２１ａの周方向において部分的に設けることで、ミュート部材４０を開口先端部２１ａの周方向の全体にわたって設けた場合よりも低減される音量が少なくなる。
そのうえで、部分的に設けられるミュート部材４０Ｃを短くして開口先端部２１ａの周方向においてミュート部材４０が設けられる部分の比率を小さくしていくほど、音量低減効果は弱まる。逆に、部分的に設けられるミュート部材４０Ｃを長くしていくほど音量低減効果は高まる。このように、第４実施形態においては、部分的に設けられるミュート部材４０Ｃの開口先端部２１ａの周方向に沿った長さを変更することで、音の低減量を調節できる。
【００３９】
また、同図においてミュート部材４０Ｃが設けられる位置は、ヘッド３１の固定のために締め付けが行われるチューニングボルト２３ｂの位置に対応している。これにより、ヘッド３１がシェル２１に固定された状態においては、ミュート部材４０Ｃは、チューニングボルト２３ｂの締め込みに応じて外周端部３１ｃに対して強い力で押し当てられる状態になる。これにより、ミュート部材４０Ｃが設けられた位置においては、音量の低減効果を有効に発揮させることができる。
【００４０】
ミュート部材４０Ｃを開口先端部２１ａの周方向における一部に設ける態様としては、図１１の例に限定されない。例えば、ミュート部材４０Ｃは、チューニングボルト２３ｂに対応しない位置に設けられてもよい。
また、例えば、図１１の態様の場合、シェル２１の径方向に対向する位置に三対のミュート部材４０Ｃが設けられている。このようにシェル２１の径方向に対向する位置に対となるミュート部材４０Ｃを配置するにあたっては、対の数は特に限定されない。
また、図１１の態様の場合には、ミュート部材４０Ｃが開口先端部２１ａの周方向において等間隔に設けられている。このように開口先端部２１ａの周方向において等間隔に設ける場合において、周方向に沿って隣接するミュート部材４０Ｃの間隔は特に限定されない。さらに、ミュート部材４０Ｃは等間隔に設けられなくともよく、周方向に沿って隣接して配置されるミュート部材４０Ｃの間隔はそれぞれが異なっていてもよい。
【００４１】
＜第５実施形態＞
続いて、第５実施形態について説明する。図１２は、第５実施形態のドラム１０Ｄの構造を断面により示す側面図である。なお、同図において、図１（ｂ）と同一部分には同一符号を付して説明を省略する。
【００４２】
第５実施形態のドラム１０Ｄは、図示するように、ヘッド３１が設けられていない側のシェル２１の開口（下部開口）に対して、レゾナンスヘッド３２が設けられる。レゾナンスヘッド３２には、例えばヘッド３１と同じ仕様のヘッドが用いられる。
レゾナンスヘッド３２は、ヘッド３１と同様に、ヘッド部３２ａの外周縁部がフレッシュフープ３２ｂに連結されることにより円形に保持され、ラグ２４と下部張設部２５とによってシェル２１の下部開口に取り付けられる。
【００４３】
下部張設部２５は、フープ２５ａと、チューニングボルト２５ｂとで構成されている。フープ２５ａは、フープ２３ａの上下方向を逆にして、その状態の上縁部における対向する部分にそれぞれ挿通用開口部を形成した形状に形成されている。また、チューニングボルト２５ｂはチューニングボルト２３ｂと同じもので構成され、チューニングボルト２３ｂと同数が用いられる。
【００４４】
レゾナンスヘッド３２は、ラグ２４と下部張設部２５とを用い、前述したヘッド３１と同様の方法により、シェル２１の下部開口に対して固定される。この場合も、チューニングボルト２５ｂのねじ部を、フープ２５ａに形成された係合突起２５ｃのボルト挿通穴に通してラグ２４のねじ穴に螺合させることが行われ、その際に、チューニングボルト２５ｂの締め具合を変更することにより、レゾナンスヘッド３２のテンションを調節できる。
【００４５】
上記のように構成される第５実施形態のドラム１０Ｄによれば、レゾナンスヘッド３２による振動が加わるために、音量低減効果の得られるドラム１０Ｄとして、より豊かな音色を得ることが可能になる。
第５の実施形態のようにレゾナンスヘッド３２が設けられたドラムは、タムなどに適用できる。
【００４６】
＜第６実施形態＞
続いて、第６実施形態について、図１３及び図１４を参照して説明する。
図１３は、第６実施形態のドラム１０Ｅの構造を断面により示す側面図である。なお、同図において、図１（ｂ）と同一部分には同一符号を付して説明を省略する。図１４は、図１３におけるシェル２１の下部開口の近傍を側面側からみて拡大して示す断面図である。
【００４７】
図１３及び図１４に示すように、第６実施形態のドラム１０Ｅは、第５実施形態と同様に、シェル２１の下部開口に対してレゾナンスヘッド３２が設けられる。そのうえで、第６実施形態のドラム１０Ｅは、レゾナンスヘッド３２側においても、ヘッド３１と同様にミュート部材４０Ｄが設けられる。つまり、図１４に示すように、レゾナンスヘッド３２が固定された状態において、ヘッド部３２ａの外周端部３２ｃとシェル２１の下側の開口先端部２１ｂとの間に介在するようにミュート部材４０Ｄが設けられる。
【００４８】
このように構成される第６実施形態のドラム１０Ｅによれば、ヘッド３１側の音量低減効果に加えて、ヘッド３１の振動に応じて共振するように振動するレゾナンスヘッド３２から発生する音も抑制される。これにより、第６実施形態のドラム１０Ｅは、音量低減効果が得られるドラムとして、レゾナンスヘッド３２による豊かな音色を得たうえで、レゾナンスヘッドの共振によって生じる音における高調波を抑制して、耳あたりの良い音を得ることができる。
なお、ヘッド３１に対応したミュート部材４０は設けず、レゾナンスヘッド３２に対応したミュート部材４０Ｄを設けるようにした構成でも、上記と同様な耳あたりの良い音を得ることができる。
【００４９】
また、第６実施形態におけるミュート部材４０、４０Ｄのそれぞれは、ヘッド部３１ａ、３２ａの開口先端部２１ａ、２１ｂの周方向における全体に設けられてもよいし、第４実施形態のように開口先端部２１ａ、２１ｂの周方向における一部に設けられてもよい。
また、ミュート部材４０を開口先端部２１ａの周方向全体にわたって設け、ミュート部材４０Ｄを開口先端部２１ｂの周方向における一部に設けるようにしてもよい。逆に、ミュート部材４０を開口先端部２１ａの周方向における一部に設け、ミュート部材４０Ｄを開口先端部２１ｂの周方向全体にわたって設けるようにしてもよい。
第６の実施形態のようにレゾナンスヘッド３２に対応してミュート部材４０Ｄが設けられたドラムは、タムなどに適用できる。
【００５０】
＜第７実施形態＞
続いて、第７実施形態について図１５及び図１６を参照して説明する。
図１５（ａ）は、第７実施形態のドラム１０Ｆの断面により示す側面図である。図１５（ｂ）は、第７実施形態のドラム１０Ｆの底面図である。なお、各図において、図１（ａ）、図１（ｂ）と同一部分には同一符号を付して説明を省略する。
図１６は、図１５におけるシェル２１の下部開口の近傍を側面側からみて拡大して示す断面図である。
【００５１】
第７実施形態のドラム１０Ｆはスネアドラムとして構成される。このために、第７実施形態のドラム１０Ｆは、図１５（ａ）、図１５（ｂ）及び図１６に示すように、シェル２１の下部開口に対してスネアサイドヘッド３３とスナッピー７０が設けられる。
【００５２】
スネアサイドヘッド３３は、ヘッド３１と同様に、ヘッド部３３ａの外周縁部がフレッシュフープ３３ｂに連結されることにより円形に保持される。
【００５３】
図示は省略するが、第７実施形態においては、図１２に示したのと同様に、シェル２１に対して、上側のラグ２２及び上部張設部２３と、下側のラグ２４及び下部張設部２５が備えられる。これにより、ヘッド３１は、ラグ２２及び上部張設部２３によってシェル２１の上部開口に取り付けられる。また、スネアサイドヘッド３３は、レゾナンスヘッド３２と同様に、ラグ２４と下部張設部２５とによりシェル２１の下部開口に取り付けられる。
ただし、スネアドラムとして構成される場合、シェル２１としての胴部は浅くなる傾向にある。これに伴って、上側のラグ２２と下側のラグ２４は、例えばそれぞれが上下方向において近接して設けられる。あるいは、上側のラグ２２と下側のラグ２４は、一体化されるように連結されてもよい。
【００５４】
スナッピー７０は、金属製の複数のコイル７０ａの端部をそれぞれ金属製の一対のスネアプレート７０ｂに連結して形成されたコイル型スナッピーで構成されている。
スナッピー７０は、両方のスネアプレート７０ｂが互いに離れるように引っ張られるとコイル７０ａが延び、その引っ張る力を解除すると、コイル７０ａは収縮して元の状態に復元する。
スナッピー７０は、一対の帯状のスネアコード７０ｃ、固定側ストレイナー８１および可動側ストレイナー８２によって、シェル２１に取り付けられている。一対のスネアコード７０ｃの一方の端部は、それぞれスネアプレート７０ｂに着脱可能になっている。固定側ストレイナー８１はシェル２１の外周面における所定の２個のラグ２４間に固定されており、一方のスネアコード７０ｃの他方の端部が固定される。
【００５５】
可動側ストレイナー８２は、シェル２１の外周面における固定側ストレイナー８１が設置された部分と反対側の部分に設置されており、シェル２１の外周面に固定された支持部８２ａ、スネアホールディングプレート８２ｂおよびレバー８２ｃ等からなっている。スネアホールディングプレート８２ｂは、他方のスネアコード７０ｃの他方の端部（図１５（ａ）において右側に位置するスネアコード７０ｃの上端部）を挟んで保持する。レバー８２ｃは、回転機構およびロック機構を備えており、回転操作により、スナッピー７０のテンションを調整できるとともに、ロックすることにより、スナッピー７０をテンションが掛かった状態に維持できる。
【００５６】
また、第７実施形態のドラム１０Ｆは、スネアサイドヘッド３３側においても、ヘッド３１と同様にミュート部材４０Ｄが設けられる。つまり、図１６に示すように、スネアサイドヘッド３３が固定された状態において、ヘッド部３３ａの外周端部３３ｃとシェル２１の下部開口側の開口先端部２１ｂとの間に介在するようにミュート部材４０Ｄが設けられる。
【００５７】
このように、第７実施形態のドラム１０は、スネアドラムとしての構造を有する。そのうえで、ヘッド３１側のミュート部材４０に加えて、スネアサイドヘッド３３側にもミュート部材４０Ｄが設けられる。
このような構成により、第７実施形態によっては、まず、本来の打感を損なうことなく演奏時の音量が低減されたスネアドラムが得られる。また、スネアサイドヘッド３３側にミュート部材４０Ｄが設けられることによっては、ヘッド３１に共振したスネアサイドヘッド３３の振動が抑制され、これに伴ってスナッピー７０のコイル７０ａの過剰な振動も抑制されるために、まとまりのある音色を得ることができる。
【００５８】
＜第８実施形態＞
続いて、第８実施形態について説明する。図１７は、第８実施形態のドラム１０Ｇにおけるシェル２１の上側の開口先端部２１ａ近傍を側面側からみて拡大して示す断面図である。なお、第８実施形態のドラム１０Ｇの全体的な構成としては、図１と同様でよい。
図１７に示されるように、第８実施形態においては、シェル２１の上部開口の先端側を、先の各実施形態のミュート部材と同じ材質によるミュート部２１Ａとして形成する。この場合、シェル２１は、共鳴のための木材あるいは金属などによる本体部２１Ｂの上にミュート部２１Ａを固定して構成される。
【００５９】
このような構成によれば、ミュート部２１Ａによるミュート部材としての材質部分により音をミュートできる量が増加することになるため、より強い音量低減効果を得ることができる。
【００６０】
また、図１８は、第８実施形態の変形例としてのドラム１０Ｈを示している。同図において、図１７と同一部分については同一符号を付して説明を省略する。
同図に示すように、ミュート部２１Ａと本体部２１Ｂとに切り欠きを形成し、互いの切り欠きの部分で接合させている。これにより、ミュート部２１Ａと本体部２１Ｂとの接合面積が大きくなるために、本体部２１Ｂにミュート部２１Ａを安定して取り付けることができる。
なお、本体部２１Ｂに対するミュート部２１Ａの取り付けは、接着剤、連結具、ねじ、ボルトなどの少なくともいずれか１つを使用して行うことができる。
【００６１】
＜第９実施形態＞
続いて、第９実施形態について説明する。第９実施形態のドラム１０Ｊは、図１９の断面図に示すように、ヘッド部３１ａの外周端部３１ｃに対応する位置にミュート部材４０Ｅを取り付ける。これにより、ヘッド３１がシェル２１上部開口に取り付けられたときに、ミュート部材４０には開口先端部２１ａが押し当てられるように当接する状態となる。
また、同図に示されるミュート部材４０Ｅは、ヘッド部３１ａにおけるシェル２１の内側に対応する部位には取り付けられないようにしている。これにより、ミュート部材４０Ｅがヘッド３１ａの振動を直接吸収しないようにできる。
このようなヘッド３１の構成であれば、ミュート部材４０Ｅが設けられたヘッド３１と、ミュート部材４０Ｅが設けられていないヘッド３１とを容易に交換してシェル２１に取り付けることができる。これにより、共通のシェル２１を使用しながら、音量低減効果のあるドラムと音量低減効果が無いドラムとの間で簡単に使い分けることができる。
【００６２】
このように、各実施形態によっては、本来の打感を損なうことなく音量を低減できるドラムを得ることができる。また、本実施形態のドラムは、これまでに説明した構成に限定されるものではなく適宜変更が可能である。
【００６３】
なお、本実施形態のミュート部材は、これまでの各実施形態の説明のように、ドラムに取り付けた態様、あるいはヘッド３１、レゾナンスヘッド３２、スネアサイドヘッド３３などに取り付けた態様でユーザに提供することができる。さらには、本実施形態のミュート部材は、ドラム用のアクセサリとしてユーザに単体で提供することができる。
【００６４】
また、本実施形態のミュート部材は、シート状の材料をシェル２１の開口先端部に貼り付けるようにしてもよい。あるいは、ミュート部材は、図２などに示した断面形状をはじめから有した部材として形成しておいてもよい。
また、ミュート部材については、これまでに説明した実施形態のうちから複数を適宜選択して組み合わせて使用してもよい。
例えば、第１実施形態のように開口先端部の部分に対して設けられるミュート部材と、第８実施形態のようにシェル２１の開口の先端側に形成したミュート部とを組み合わせることができる。
また、第９実施形態のようにヘッド部側に取り付けられるミュート部材と、第８実施形態のようにシェル２１の開口の先端側に形成したミュート部とを組み合わせることもできる。
また、第１実施形態のように開口先端部の部分に対して設けられるミュート部材と、第９実施形態のようにヘッド部側に取り付けられるミュート部材とを組み合わせることも可能である。
【符号の説明】
【００６５】
１０  ドラム
２１  シェル
２１ａ  開口先端部
２２  ラグ
２３  上部張設部
２３ａ  フープ
２３ｂ  チューニングボルト
２３ｃ  係合突起
２４  ラグ
２５  下部張設部
２５ａ  フープ
２５ｂ  チューニングボルト
２５ｃ  係合突起
３１  ヘッド
３１ａ  ヘッド部
３１ｂ  フレッシュフープ
３１ｃ  外周端部
４０  ミュート部材
【図１】
2015045818.tif 000003
【図２】
2015045818.tif 000004
【図３】
2015045818.tif 000005
【図４】
2015045818.tif 000006
【図５】
2015045818.tif 000007
【図６】
2015045818.tif 000008
【図７】
2015045818.tif 000009
【図８】
2015045818.tif 000010
【図９】
2015045818.tif 000011
【図１０】
2015045818.tif 000012
【図１１】
2015045818.tif 000013
【図１２】
2015045818.tif 000014
【図１３】
2015045818.tif 000015
【図１４】
2015045818.tif 000016
【図１５】
2015045818.tif 000017
【図１６】
2015045818.tif 000018
【図１７】
2015045818.tif 000019
【図１８】
2015045818.tif 000020
【図１９】
2015045818.tif 000021